(57)【要約】【課題】ユーザが身に着けたバンドを取り外すことなく、ケーブルホルダを取り外すことが可能な技術を提供する。【解決手段】本明細書は、ケーブルホルダを開示する。前記ケーブルホルダは、ユーザが身に着けたバンドに対して着脱可能に取り付けられるバンド取付部と、ケーブルを着脱可能に保持するケーブル保持部を備えている。前記バンド取付部と前記ケーブル保持部は、一体的に形成されている。上記の構成によれば、バンド取付部がバンドに対して着脱可能であるため、ユーザが身に着けたバンドを取り外すことなく、ケーブルホルダのみを取り外すことができる。【選択図】図２０
2020058664.tif 000002
【特許請求の範囲】
【請求項１】
ユーザが身に着けたバンドに対して着脱可能に取り付けられるバンド取付部と、
ケーブルを着脱可能に保持するケーブル保持部を備えており、
前記バンド取付部と前記ケーブル保持部が一体的に形成されている、ケーブルホルダ。
【請求項２】
前記バンド取付部が、間隙を有しており、前記バンドの周囲を囲う形状を有している、請求項１のケーブルホルダ。
【請求項３】
前記バンド取付部が、転がりやすい断面形状を有する、請求項２のケーブルホルダ。
【請求項４】
前記ケーブル保持部が、開口を有する形状を有しており、
前記開口の間隔が、通常時は前記ケーブルのケーブル径よりも小さく、前記ケーブルの着脱時は前記ケーブル保持部の弾性変形によって前記ケーブルの前記ケーブル径よりも大きくなる、請求項１から３の何れか一項のケーブルホルダ。
【請求項５】
前記バンドが、背負式電源装置の肩ベルトに設けられており、
前記ケーブルが、前記背負式電源装置から伸びる電源ケーブルである、請求項１から４の何れか一項のケーブルホルダ。
【発明の詳細な説明】
【技術分野】
【０００１】
本明細書で開示する技術は、ケーブルホルダに関する。
【背景技術】
【０００２】
特許文献１には、ユーザが身に着けたバンドに対して着脱不能に取り付けられたバンド取付部と、ケーブルを着脱可能に保持するケーブル保持部と、バンド取付部とケーブル保持部を連結する連結部を備えるケーブルホルダが開示されている。
【先行技術文献】
【特許文献】
【０００３】
【特許文献１】特開２０１５−１３９３８５号公報
【発明の概要】
【発明が解決しようとする課題】
【０００４】
特許文献１の技術では、バンド取付部がバンドに対して着脱不能であるため、ケーブルホルダを取り外す際には、ユーザが身に着けたバンドごと取り外す必要があった。本明細書では、ユーザが身に着けたバンドを取り外すことなく、ケーブルホルダを取り外すことが可能な技術を提供する。
【課題を解決するための手段】
【０００５】
本明細書は、ケーブルホルダを開示する。前記ケーブルホルダは、ユーザが身に着けたバンドに対して着脱可能に取り付けられるバンド取付部と、ケーブルを着脱可能に保持するケーブル保持部を備えていてもよい。前記バンド取付部と前記ケーブル保持部は、一体的に形成されていてもよい。
【０００６】
上記の構成によれば、バンド取付部がバンドに対して着脱可能であるため、ユーザが身に着けたバンドを取り外すことなく、ケーブルホルダのみを取り外すことができる。
【図面の簡単な説明】
【０００７】
【図１】実施例に係る背負式電源装置２を右下後方から見た斜視図である。
【図２】実施例に係る背負式電源装置２の本体部分４を右上前方から見た斜視図である。
【図３】実施例に係る背負式電源装置２の本体部分４を右下後方から見た斜視図である。
【図４】実施例に係る背負式電源装置２の本体部分４について、カバー１６を開いた状態を右下後方から見た斜視図である。
【図５】実施例に係る背負式電源装置２の本体部分４について、カバー１６を開いており、バッテリパック２０ａ、２０ｂ、２０ｃ、２０ｄを取り外した状態を右下後方から見た斜視図である。
【図６】実施例に係る背負式電源装置２の本体部分４について、カバー１６、バッテリパック２０ａ、２０ｂ、２０ｃ、２０ｄ、インナハウジング２４を取り外した状態を左上前方から見た斜視図である。
【図７】実施例に係る背負式電源装置２のカバー保持機構４６の断面図である。
【図８】実施例に係る背負式電源装置２の本体部分４において、開放位置にあるカバー保持部材４７を右上後方から見た斜視図である。
【図９】実施例に係る背負式電源装置２の本体部分４において、保持位置にあるカバー保持部材４７を右上後方から見た斜視図である。
【図１０】実施例に係る背負式電源装置２の背負子部分６を右上後方から見た斜視図である。
【図１１】実施例に係る背負式電源装置２の背負子部分６を右上前方から見た斜視図である。
【図１２】実施例に係る背負式電源装置２の肩ベルト８ａ、８ｂを右上後方から見た斜視図である。
【図１３】実施例に係る背負式電源装置２の背負子部分６の背板６０を右上前方から見た斜視図である。
【図１４】実施例に係る背負式電源装置２の背負子部分６の支持板６２を右上後方から見た斜視図である。
【図１５】実施例に係る背負式電源装置２の背負子部分６のロック機構６４について、下方に回動させた状態の断面図である。
【図１６】実施例に係る背負式電源装置２の背負子部分６のロック機構６４について、上方に回動させた状態の断面図である。
【図１７】実施例に係る背負式電源装置２について、支持板６２を背板６０に対して下方にスライドさせた状態を左方から見た平面図である。
【図１８】実施例に係る背負式電源装置２について、支持板６２を背板６０に対して上方にスライドさせた状態を左方から見た平面図である。
【図１９】実施例に係る背負式電源装置２の肩ベルト８ａ、８ｂの保持バンド７６ａ、７６ｂを左上前方から見た斜視図である。
【図２０】実施例に係る背負式電源装置２の肩ベルト８ａ、８ｂの保持バンド７６ａ，７６ｂに着脱可能なケーブルホルダ１２０の斜視図である。
【図２１】実施例に係る背負式電源装置２の肩ベルト８ａ、８ｂの保持バンド７６ａ，７６ｂに着脱可能なケーブルホルダ１３０の斜視図である。
【図２２】実施例に係る背負式電源装置２の肩ベルト８ａ、８ｂの保持バンド７６ａ，７６ｂに着脱可能なケーブルホルダ１４０の斜視図である。
【図２３】変形例に係る背負式電源装置２の本体部分４において、サポートロッド５６を倒した状態を後方から見た平面図である。
【図２４】変形例に係る背負式電源装置２の本体部分４において、サポートロッド５６を起こしてカバー１６に当接させた状態を示す断面図である。
【図２５】変形例に係る背負式電源装置２の背負子部分６のロック機構６４の断面図である。
【図２６】変形例に係る背負式電源装置２の腰ベルト１０の背負子部分６への取付箇所を前方から見た平面図である。
【図２７】変形例に係る背負式電源装置２の腰ベルト１０の背負子部分６への取付箇所を左方から見た平面図である。
【発明を実施するための形態】
【０００８】
１つまたはそれ以上の実施形態において、バッテリ搭載機器は、バッテリパックが着脱可能に取り付けられるハウジングと、前記バッテリパックを覆うように前記ハウジングに取り付けられており、回動軸周りに回動することで開閉するカバーを備えていてもよい。前記バッテリ搭載機器を載置した状態において、前記カバーに前記カバーを閉じる方向の力が作用してもよい。
【０００９】
上記の構成によれば、バッテリ搭載機器を載置した状態では、カバーにカバーを閉じる方向の力が作用するので、カバーを確実に閉じておくことができる。このため、バッテリ搭載機器に水がかかった場合でも、バッテリパックが水に濡れてしまうことを防止することができる。
【００１０】
１つまたはそれ以上の実施形態において、前記バッテリ搭載機器は、前記カバーが閉じられた時に、前記カバーの周縁を密閉するシール部材をさらに備えていてもよい。
【００１１】
上記の構成によれば、バッテリ搭載機器に水がかかった場合でも、バッテリパックが水に濡れてしまうことを確実に防止することができる。
【００１２】
１つまたはそれ以上の実施形態において、前記バッテリ搭載機器は、前記カバーを閉じる方向に前記カバーを付勢する付勢部材をさらに備えていてもよい。前記バッテリ搭載機器を載置した状態において、前記カバーに作用する前記カバーを閉じる方向の力は、前記付勢部材による付勢力を含んでもよい。
【００１３】
上記の構成によれば、バッテリ搭載機器を載置した状態でなくとも、付勢部材がカバーを閉じる方向に付勢する。バッテリ搭載機器を載置した状態でない時に、バッテリ搭載機器に水がかかった場合でも、バッテリパックが水に濡れてしまうことを防止することができる。
【００１４】
１つまたはそれ以上の実施形態において、前記バッテリ搭載機器は、前記カバーが閉じられた時に、前記カバーが閉じられた状態を保持するロック機構をさらに備えていてもよい。
【００１５】
上記の構成によれば、カバーを閉じた状態で、不意にカバーを開く方向の力がカバーに作用した場合でも、カバーが閉じられた状態を保持することができる。バッテリパックが水に濡れてしまう事態を確実に防止することができる。
【００１６】
１つまたはそれ以上の実施形態において、バッテリ搭載機器は、バッテリパックが着脱可能に取り付けられるハウジングと、前記バッテリパックを覆うように前記ハウジングに取り付けられており、回動軸周りに回動することで開閉するカバーと、前記カバーを開いた状態で保持可能なカバー保持機構を備えていてもよい。前記カバー保持機構は、ユーザの操作に応じて、前記カバーの回動動作と干渉する保持位置と、前記カバーの回動動作と干渉しない開放位置の間で移動するカバー保持部材を備えていてもよい。
【００１７】
上記の構成によれば、ハウジングに対してバッテリパックを着脱する際に、カバー保持機構によってカバーが開いた状態に保持することができるので、ユーザは、一方の手でカバーを把持して開いた状態で保持する必要がない。バッテリパックの着脱作業を容易に行うことができる。
【００１８】
１つまたはそれ以上の実施形態において、前記カバー保持機構は、前記カバー保持部材を保持位置から開放位置へ向けて付勢する第１付勢部材をさらに備えていてもよい。
【００１９】
上記の構成によれば、バッテリパックの着脱作業が終了した後は、第１付勢部材の付勢力によって、カバー保持部材を保持位置から開放位置へ復帰させることができる。
【００２０】
１つまたはそれ以上の実施形態において、前記バッテリ搭載機器は、前記カバーを閉じる方向に前記カバーを付勢する第２付勢部材をさらに備えていてもよい。
【００２１】
上記の構成によれば、バッテリパックの着脱作業を行わない状況において、カバーを確実に閉じておくことができる。
【００２２】
１つまたはそれ以上の実施形態において、前記バッテリ搭載機器は、前記バッテリパックからの電力を他の機器に出力する電力出力部をさらに備えていてもよい。前記バッテリ搭載機器は、ユーザが肩にかける肩ベルトを取り付け可能であってもよい。
【００２３】
上記の構成によれば、バッテリ搭載機器を用いた背負式電源装置を実現することができる。
【００２４】
１つまたはそれ以上の実施形態において、前記回動軸は、前記ハウジングの長手方向に沿っていてもよい。
【００２５】
カバーの回動軸がハウジングの長手方向に直交している場合、カバーを開閉する際にカバーの先端が大きく回動することになり、ユーザの身体や周囲の物品と干渉しやすくなる。上記のように、カバーの回動軸がハウジングの長手方向に沿った構成とすることで、カバーを開閉する際にカバーの先端を小さく回動させることができ、ユーザの身体や周囲の物品と干渉しにくくすることができる。
【００２６】
１つまたはそれ以上の実施形態において、前記バッテリパックは、前記ハウジングに対してスライド方向にスライドさせることで着脱可能であってもよい。前記スライド方向は、前記回動軸に直交する面に対して略平行であってもよい。
【００２７】
上記の構成によれば、ハウジングに対してカバーを開いて、バッテリパックをハウジングに対してスライド方向にスライドさせる際に、カバーが邪魔になることがない。バッテリパックの着脱作業を容易に行うことができる。
【００２８】
１つまたはそれ以上の実施形態において、前記バッテリパックが、前記ハウジングの前記長手方向に並んで配置されていてもよい。
【００２９】
上記の構成によれば、１つのバッテリパックをハウジングに対してスライド方向にスライドさせる際に、ハウジングに取り付けられている他のバッテリパックが邪魔になることがない。バッテリパックの着脱作業をより容易に行うことができる。
【００３０】
１つまたはそれ以上の実施形態において、ケーブルホルダは、ユーザが身に着けたバンドに対して着脱可能に取り付けられるバンド取付部と、ケーブルを着脱可能に保持するケーブル保持部を備えていてもよい。前記バンド取付部と前記ケーブル保持部は、一体的に形成されていてもよい。
【００３１】
上記の構成によれば、バンド取付部がバンドに対して着脱可能であるため、ユーザが身に着けたバンドを取り外すことなく、ケーブルホルダのみを取り外すことができる。
【００３２】
１つまたはそれ以上の実施形態において、前記バンド取付部は、間隙を有しており、前記バンドの周囲を囲う形状を有していてもよい。
【００３３】
上記の構成によれば、間隙を介してバンドをバンド取付部に出し入れすることで、ケーブルホルダをバンドに着脱することができる。
【００３４】
１つまたはそれ以上の実施形態において、前記バンド取付部は、転がりやすい断面形状を有していてもよい。ここでいう転がりやすい断面形状とは、略円形状や略楕円形状であってもよいし、角部が丸みを帯びた略四角形状であってもよいし、略六角形状や略八角形状など、角部が鈍角となる多角形状であってもよい。
【００３５】
上記の構成によれば、バンドに取り付けたケーブルホルダに、ケーブルホルダを倒す方向の外力が作用した場合に、外力に逆らわずにケーブルホルダが倒れるので、ケーブルホルダが損傷することを防止することができる。
【００３６】
１つまたはそれ以上の実施形態において、前記ケーブル保持部は、開口を有する形状を有していてもよい。前記開口の間隔は、通常時は前記ケーブルのケーブル径よりも小さくてもよく、前記ケーブルの着脱時は前記ケーブル保持部の弾性変形によって前記ケーブルの前記ケーブル径よりも大きくなってもよい。
【００３７】
上記の構成によれば、開口を介してケーブルをケーブル保持部に出し入れすることで、ケーブルをケーブルホルダに着脱することができる。また、上記の構成によれば、ケーブルに大きな力が作用した場合、例えばケーブルに接続された機器が落下してケーブルが引っ張られた場合には、ケーブルホルダからケーブルが離脱して、ユーザが身に着けているバンドからケーブルが離れていく。このような構成とすることで、ユーザの安全を確保することができる。
【００３８】
１つまたはそれ以上の実施形態において、前記バンドは、背負式電源装置の肩ベルトに設けられていてもよい。前記ケーブルは、前記背負式電源装置から伸びる電源ケーブルであってもよい。
【００３９】
上記の構成によれば、背負式電源装置から伸びる電源ケーブルを、ユーザの背中から肩を回り込んで胸前に這わせることで、電源ケーブルが余ってたわんでしまう事を防止することができる。
【００４０】
１つまたはそれ以上の実施形態において、背負式機器は、機器本体と、ユーザが肩にかける肩ベルトと、前記ユーザが腰に巻く腰ベルトを備えていてもよい。前記腰ベルトは、前記腰ベルトの下端が前記機器本体の下面よりも下方に位置する状態と、前記腰ベルトの下端が前記機器本体の下面よりも上方に位置する状態の間で切り替え可能であってもよい。前記背負式機器は、前記腰ベルトの下端が前記機器本体の下面よりも上方に位置する状態で、前記機器本体の下面を載置面に当接させて載置可能であってもよい。
【００４１】
上記の構成によれば、背負式機器をユーザが背負って使用する際には、腰ベルトを、腰ベルトの下端が機器本体の下面よりも下方に位置する状態とすることで、腰ベルトの位置をユーザの腰の位置に合わせることができ、ユーザの身体にかかる負担を軽減することができる。また、背負式機器を載置する際には、腰ベルトを、腰ベルトの下端が機器本体の下面よりも上方に位置する状態とすることで、機器本体の下面を載置面に当接させて載置することができる。
【００４２】
１つまたはそれ以上の実施形態において、前記機器本体は、本体部分と、前記本体部分が着脱可能に取り付けられており、前記肩ベルトと前記腰ベルトが取り付けられる背負子部分を備えていてもよい。
【００４３】
上記の構成によれば、本体部分を背負子部分から取り外した状態で、本体部分の使用やメンテナンス等を行うことができる。
【００４４】
１つまたはそれ以上の実施形態において、前記背負子部分は、前記肩ベルトの上側端部が取り付けられる背板と、前記腰ベルトが取り付けられ、前記背板に対して上下方向の位置を変更可能な支持板と、前記支持板の前記背板に対する位置を固定するロック機構を備えていてもよい。前記本体部分および／または前記背板によって、前記機器本体の下面が形成されていてもよい。
【００４５】
上記の構成によれば、比較的簡素な構成で、腰ベルトの下端が機器本体の下面よりも下方に位置する状態と、腰ベルトの下端が機器本体の下面よりも上方に位置する状態を切り換えることができる。
【００４６】
１つまたはそれ以上の実施形態において、前記腰ベルトが、前記機器本体に対して前後方向に延びる回動軸周りに回動可能に取り付けられていてもよい。前記回動軸は、前記腰ベルトの上下方向の中央から離れた位置に配置されていてもよい。
【００４７】
上記の構成によれば、腰ベルトを、腰ベルトの下端が機器本体の下面よりも下方に位置する状態から、機器本体に対して回動軸周りに１８０度回転させることで、腰ベルトの下端が機器本体の下面よりも上方に位置する状態に切り換えることができる。比較的簡素な構成で、腰ベルトの下端が機器本体の下面よりも下方に位置する状態と、腰ベルトの下端が機器本体の下面よりも上方に位置する状態を切り換えることができる。
【００４８】
１つまたはそれ以上の実施形態において、前記腰ベルトが、面ファスナを介して前記機器本体に着脱可能に取り付けられていてもよい。
【００４９】
上記の構成によれば、腰ベルトの機器本体に対する上下方向の取り付け位置を調整することで、腰ベルトの下端が機器本体の下面よりも下方に位置する状態と、腰ベルトの下端が機器本体の下面よりも上方に位置する状態を切り換えることができる。比較的簡素な構成で、腰ベルトの下端が機器本体の下面よりも下方に位置する状態と、腰ベルトの下端が機器本体の下面よりも上方に位置する状態を切り換えることができる。
【００５０】
（実施例）
図１に示す背負式電源装置２は、ユーザが背負った状態で使用可能であり、各種の電動機器に電力を供給可能な背負式電源装置である。背負式電源装置２は、本体部分４と、本体部分４に着脱可能に取り付けられた背負子部分６と、背負子部分６に取り付けられており、ユーザが両肩にかける肩ベルト８ａ、８ｂと、背負子部分６に取り付けられており、ユーザが腰に巻き付ける腰ベルト１０を備えている。腰ベルト１０には、付属品（図示せず）を収容可能なポーチ１２が着脱可能に取り付けられている。なお、以下の説明では、ユーザが背負式電源装置２を背負って直立した時の、ユーザから見た前後方向、左右方向および上下方向を、背負式電源装置２の前後方向、左右方向および上下方向という。また、以下の説明では、本体部分４と背負子部分６を合わせて、機器本体５ともいう。
【００５１】
図２に示すように、本体部分４は、長手方向が上下方向に沿っており、短手方向が前後方向に沿った、略直方体形状を有している。本体部分４は、前端に配置されており、前後方向に対して略直交する結合面Ｐを備えている。本体部分４は、結合面Ｐを介して、背負子部分６に取り付けられている。
【００５２】
図３に示すように、本体部分４は、背負子部分６から取り外した状態で、結合面Ｐを地面等の載置面（図示せず）に当接させて載置することができる。本体部分４は、フレーム１４と、カバー１６と、ハンドル１８を備えている。カバー１６は、フレーム１４の左端近傍で上下方向に伸びる回動軸周りに回動可能に、フレーム１４に取り付けられている。ハンドル１８は、フレーム１４の上端近傍に着脱可能に取り付けられている。使用者は、ハンドル１８を把持して本体部分４を持ち運ぶことができる。
【００５３】
図４に示すように、本体部分４の内部には、複数のバッテリパック２０ａ、２０ｂ、２０ｃ、２０ｄが収容されている。バッテリパック２０ａ、２０ｂ、２０ｃ、２０ｄは、それぞれ、リチウムイオン電池セル（図示せず）等の二次電池セルを内蔵しており、充電器（図示せず）によって充電可能である。バッテリパック２０ａ、２０ｂ、２０ｃ、２０ｄは、それぞれ、例えば、定格電圧が１８Ｖであり、定格容量が６．０Ａｈである。バッテリパック２０ａ、２０ｂ、２０ｃ、２０ｄは、本体部分４のバッテリ取付部２２ａ、２２ｂ、２２ｃ、２２ｄ（図５参照）に対して、所定のスライド方向に沿ってスライドさせることで着脱が可能な、スライド式のバッテリパックである。バッテリパック２０ａ、２０ｂ、２０ｃ、２０ｄのスライド方向は、例えば、左右方向に沿っている。この場合、バッテリパック２０ａ、２０ｂ、２０ｃ、２０ｄを取り付ける際には、バッテリパック２０ａ、２０ｂ、２０ｃ、２０ｄをバッテリ取付部２２ａ、２２ｂ、２２ｃ、２２ｄに対して左方向にスライドさせ、バッテリパック２０ａ、２０ｂ、２０ｃ、２０ｄを取り外す際には、バッテリパック２０ａ、２０ｂ、２０ｃ、２０ｄをバッテリ取付部２２ａ、２２ｂ、２２ｃ、２２ｄに対して右方向にスライドさせる。カバー１６の回動軸は、フレーム１４の左端近傍に配置されているので、カバー１６を開いた状態では、カバー１６はバッテリ取付部２２ａ、２２ｂ、２２ｃ、２２ｄの左後方に位置する。このため、バッテリパック２０ａ、２０ｂ、２０ｃ、２０ｄを着脱する際に、開いたカバー１６が邪魔になることがない。
【００５４】
図５に示すように、フレーム１４は、底面が結合面Ｐに沿っており、後方に向けて開口した箱型形状の基部１４ａと、基部１４ａの下端から後方に向けて壁状に突出する支持部１４ｂを備えている。基部１４ａには、開口を覆う形状のインナハウジング２４が設けられている。インナハウジング２４の後面には、バッテリ取付部２２ａ、２２ｂ、２２ｃ、２２ｄが設けられている。また、基部１４ａの右側面の下部には、操作部２６と、表示部２８が設けられている。操作部２６は、ユーザからの背負式電源装置２に対する操作、例えば主電源のオン／オフ操作を受け入れる。表示部２８は、ユーザに背負式電源装置２の状態に関する情報、例えばバッテリ取付部２２ａ、２２ｂ、２２ｃ、２２ｄに取り付けられているバッテリパック２０ａ、２０ｂ、２０ｃ、２０ｄの残容量に関する情報を提示する。なお、以下の説明では、フレーム１４と、インナハウジング２４と、バッテリ取付部２２ａ、２２ｂ、２２ｃ、２２ｄを総称して、単にハウジング１５ともいう。
【００５５】
図６に示すように、基部１４ａの内部には、制御基板３０と、操作基板３２と、表示基板３４と、ノイズフィルタ３６が収容されている。制御基板３０は、バッテリ取付部２２ａ、２２ｂ、２２ｃ、２２ｄに取り付けられたバッテリパック２０ａ、２０ｂ、２０ｃ、２０ｄと電気的に接続する。制御基板３０は、バッテリパック２０ａ、２０ｂ、２０ｃ、２０ｄから供給される電力を、所望の出力電圧に調整して、電源ケーブル３８（図２参照）に供給する。制御基板３０は、例えば、バッテリパック２０ａ、２０ｂの直列接続と、バッテリパック２０ｃ、２０ｄの直列接続を並列に接続することで、定格電圧が３６Ｖの電力を電源ケーブル３８に供給することができる。あるいは、制御基板３０は、例えば、バッテリパック２０ａ、２０ｂ、２０ｃ、２０ｄを並列に接続することで、定格電圧が１８Ｖの電力を電源ケーブル３８に供給することができる。操作基板３２と表示基板３４は、制御基板３０に接続されている。操作基板３２は、操作部２６に対して行われたユーザによる操作を検知して、制御基板３０に出力する。表示基板３４は、制御基板３０からの指示に応じて、表示部２８に対する表示を行う。ノイズフィルタ３６は、電源ケーブル３８への出力にノイズが重畳することを抑制する。図２に示すように、電源ケーブル３８は、基部１４ａの下端近傍から下方に伸びた後、右方または左方（図２の例では右方）に湾曲して、基部１４ａの右側面または左側面（図２の例では右側面）から外部に引き出されている。
【００５６】
図５に示すように、カバー１６には、捩りバネ４０が設けられている。捩りバネ４０は、カバー１６をフレーム１４に対して、閉じる方向に付勢する。また、結合面Ｐが載置面に当接するように本体部分４を載置した状態では、カバー１６に作用する重力が、カバー１６を閉じる方向の力としてカバー１６に作用する。基部１４ａには、カバー１６が閉じられたときにカバー１６の周縁と当接する箇所に、シール部材４２が設けられている。シール部材４２は、例えばゴム製のパッキンである。カバー１６には、ユーザが操作可能なラッチ部材４４が設けられている。ラッチ部材４４は、カバー１６が閉じられた状態において、基部１４ａのラッチ受け１４ｃに係合することで、カバー１６が閉じられた状態で保持することができる。なお、ラッチ部材４４とラッチ受け１４ｃの代わりに、例えば、カバー１６および基部１４ａの一方に設けられた永久磁石（図示せず）と、カバー１６および基部１４ａの他方に設けられた磁性体（図示せず）によって、カバー１６が閉じられた状態を保持する構成としてもよい。
【００５７】
なお、捩りバネ４０の代わりに、一端がカバー１６に回転可能に保持され、他端がフレーム１４に回転可能に保持された引張バネ（図示せず）によって、カバー１６をフレーム１４に対して閉じる方向に付勢する構成としてもよい。
【００５８】
支持部１４ｂには、カバー保持機構４６が設けられている。図７に示すように、カバー保持機構４６は、支持部１４ｂに形成された貫通孔１４ｄに取り付けられている。カバー保持機構４６は、支持部１４ｂよりも下方に配置されたボタン４８と、支持部１４ｂよりも上方に配置された係合片５０と、貫通孔１４ｄを貫通しており、ボタン４８と係合片５０を互いに固定するネジ５２と、ボタン４８を支持部１４ｂに対して下方に向けて付勢する圧縮バネ５４を備えている。なお、以下の説明では、ボタン４８と、係合片５０と、ネジ５２を合わせて、カバー保持部材４７ともいう。
【００５９】
図８に示すように、通常時は、カバー保持機構４６において、ボタン４８が圧縮バネ５４によって下方に向けて付勢されているので、係合片５０はカバー１６の開閉動作と干渉しない位置（以下では開放位置ともいう）に配置されている。ユーザが、カバー１６を開いた状態で、さらにカバー保持機構４６のボタン４８を上方に向けて押し込むと、図９に示すように、係合片５０がカバー１６の開閉動作と干渉する位置（保持位置ともいう）に配置される。この状態では、カバー１６に閉じる方向の力が作用している場合でも、カバー１６が係合片５０と係合するので、ユーザがカバー１６やボタン４８から手を離しても、カバー１６を開いた状態で保持することができる。なお、図９に示す状態から、ユーザがボタン４８から手を離した状態で、カバー１６を把持して開く方向へ回動させると、カバー１６と係合片５０との係合が解除される。この場合、図８に示すように、圧縮バネ５４の付勢力によって、係合片５０は再びカバー１６の開閉動作と干渉しない開放位置に移動する。
【００６０】
なお、カバー保持機構４６の代わりに、図２３、図２４に示すサポートロッド５６を設けてもよい。サポートロッド５６の下端は、左右方向に沿った回動軸周りに回動可能にインナハウジング２４に取り付けられている。図２３に示すように、通常時は、サポートロッド５６は倒した状態とされており、サポートロッド５６はカバー１６の開閉動作と干渉しない。ユーザが、カバー１６を開いた状態で、さらにサポートロッド５６を引き起こすと、図２４に示すように、サポートロッド５６がカバー１６の開閉動作と干渉する位置に配置される。この状態では、カバー１６に閉じる方向の力が作用している場合でも、カバー１６がサポートロッド５６に当接しているので、ユーザがカバー１６やサポートロッド５６から手を離しても、カバー１６を開いた状態で保持することができる。
【００６１】
図１０、図１１に示すように、背負子部分６は、背板６０と、支持板６２と、ロック機構６４を備えている。図１０に示すように、背板６０の後面には、複数の係合爪６６ａ、６６ｂ、６６ｃ、６６ｄが形成されている。係合爪６６ａ、６６ｂ、６６ｃ、６６ｄは、背板６０の後面から後方に向けて突出し、かつ上方に向けて屈曲した形状を有している。また、背板６０の左右の側面の上部には、ユーザが操作可能なラッチ６８ａ、６８ｂが設けられている。図２に示すように、本体部分４のフレーム１４の結合面Ｐには、係合爪６６ａ、６６ｂ、６６ｃ、６６ｄに対応する位置および形状で、複数の係合溝７０ａ、７０ｂ、７０ｃ、７０ｄが形成されている。また、本体部分４のフレーム１４の左右の側面の上部には、ラッチ６８ａ、６８ｂに対応するラッチ受け７１ａ、７１ｂが形成されている。本体部分４を背負子部分６に取り付ける際には、背負子部分６の係合爪６６ａ、６６ｂ、６６ｃ、６６ｄを本体部分４の係合溝７０ａ、７０ｂ、７０ｃ、７０ｄに係合させて、かつラッチ６８ａ、６８ｂをラッチ受け７１ａ、７１ｂに係合させることによって、本体部分４を背負子部分６に固定することができる。
【００６２】
図１２に示すように、肩ベルト８ａ、８ｂは、ユーザの背中、肩および胸に当接するパッド７２ａ、７２ｂと、パッド７２ａ、７２ｂの後方の部分の後面に設けられている係合バックル７４ａ、７４ｂ、７４ｃ、７４ｄと、パッド７２ａ、７２ｂの前方の部分の前面に設けられている保持バンド７６ａ、７６ｂと、保持バンド７６ａ、７６ｂに保持された調節バックル７８ａ、７８ｂと、上端が調節バックル７８ａ、７８ｂに取り付けられた調節バンド８０ａ、８０ｂを備えている。図１１に示すように、背板６０には、肩ベルト８ａ、８ｂの係合バックル７４ａ、７４ｂ、７４ｃ、７４ｄが係合する係合孔８２ａ、８２ｂ、８２ｃ、８２ｄが形成されている。支持板６２には、肩ベルト８ａ、８ｂの調節バンド８０ａ、８０ｂの下端が取り付けられるベルト取付部８４ａ、８４ｂが形成されている。
【００６３】
図１３に示すように、背板６０には、前面から後面まで貫通しており、上下方向に長手方向を有する長孔８６が形成されている。また、背板６０の前面には、上下方向に延びるガイド凸条８８と、ガイド凸条８８の左右に配置されており、上下方向に鋸歯形状を有する被係合部９０ａ、９０ｂが形成されている。さらに、図１０に示すように、背板６０の後面には、長孔８６の周囲にガイド溝９２が形成されている。
【００６４】
図１４に示すように、支持板６２には、前面から後面まで貫通する貫通孔９４が形成されている。また、支持板６２の後面には、背板６０のガイド凸条８８に対応する位置および形状で、上下方向に延びるガイド凹条９６が形成されている。さらに、支持板６２の後面には、背板６０の被係合部９０ａ、９０ｂに対応する位置および形状で、上下方向に鋸歯形状を有する係合部９８ａ、９８ｂが形成されている。支持板６２を背板６０に取り付けた状態では、係合部９８ａ、９８ｂは被係合部９０ａ、９０ｂに係合する。
【００６５】
図１に示すように、腰ベルト１０は、ユーザの腰に当接するパッド７３と、パッド７３の左端近傍に設けられている雌バックル７５と、パッド７３の右端近傍に設けられている保持バンド７７と、保持バンド７７に保持された調節バックル７９と、調節バックル７９に保持された調節バンド８１と、調節バンド８１に設けられており、雌バックル７５に係合する雄バックル８３を備えている。図１１に示すように、支持板６２の前面には、腰ベルト１０のパッド７３をネジ９７ａ、９７ｂ、９７ｃ、９７ｄによって固定するためのボス９９ａ、９９ｂ、９９ｃ、９９ｄが形成されている。
【００６６】
図１５に示すように、ロック機構６４は、ロックレバー１００と、ヒンジピン１０２と、支持ピン１０４と、プレート１０６と、ナット１０８を備えている。図１１に示すように、ロックレバー１００は、支持板６２よりも前側に配置されている。ロックレバー１００は、略平板形状を有している。図１５に示すように、ロックレバー１００は、上端近傍でヒンジピン１０２によって支持されている。ロックレバー１００は、ヒンジピン１０２を回動軸として回動可能である。ロックレバー１００の上端近傍は、回動角度に応じて支持板６２に対向する面の突出量が変化するカム形状を有する。ヒンジピン１０２は、長手方向が左右方向に沿うように配置されている。ヒンジピン１０２は、支持ピン１０４に回動可能に支持されている。支持ピン１０４は、長手方向が前後方向に沿っており、支持板６２の貫通孔９４と、背板６０の長孔８６を貫通するように配置されている。支持ピン１０４の後端には雄ネジが形成されている。図１０に示すように、プレート１０６は、背板６０よりも後側に配置されており、背板６０のガイド溝９２に収容されている。図１５に示すように、プレート１０６は、支持ピン１０４が貫通する貫通孔１０６ａを有している。ナット１０８は、支持ピン１０４の後端に螺着されている。
【００６７】
図１５に示すように、ロックレバー１００を下方に回動させた状態では、ロックレバー１００の上端近傍の部分が支持板６２を押圧する。この状態では、ロックレバー１００とプレート１０６によって、支持板６２と背板６０が強い力で挟持される。この場合、支持板６２の係合部９８ａ、９８ｂと背板６０の被係合部９０ａ、９０ｂが強く係合するので、支持板６２が背板６０に対して固定される。
【００６８】
図１６に示すように、ロックレバー１００を上方に回動させた状態では、ロックレバー１００の上端近傍の部分が支持板６２から離反することで、ロックレバー１００とプレート１０６による支持板６２と背板６０の挟持が解除される。この場合、支持板６２の係合部９８ａ、９８ｂと背板６０の被係合部９０ａ、９０ｂの係合が解除されて、支持板６２を背板６０に対して上下方向にスライドさせることが可能となる。支持板６２を背板６０に対して所望の位置までスライドさせて、係合部９８ａ、９８ｂを被係合部９０ａ、９０ｂに係合させ、ロックレバー１００を再び下方に回動させると、その位置で支持板６２を背板６０に対して再び固定することができる。
【００６９】
図１７に示すように、ユーザが背負式電源装置２を使用する際には、両肩に肩ベルト８ａ、８ｂをかけた状態で、腰ベルト１０を腰の位置に巻き付けることができるように、支持板６２の背板６０に対する上下方向の位置を調整することができる。このような構成とすることによって、ユーザの身体にかかる負担を軽減することができる。なお、肩ベルト８ａ、８ｂのパッド７２ａ、７２ｂと、腰ベルト１０のパッド７３は、背負式電源装置２の重量がユーザの身体に分散して負担されるように、ユーザの身体への接触面積が広く、かつ剛性が比較的高くなるように形成されている。
【００７０】
ユーザが背負式電源装置２を使用しない時に、本体部分４の下面（フレーム１４の支持部１４ｂの下面）が載置面と当接するようにして、背負式電源装置２を載置したい場合がある。図１７に示すように、支持板６２が背板６０に対して下方に位置している状態では、腰ベルト１０の下端が本体部分４の下面よりも下方に位置しているので、背負式電源装置２を安定して載置することができない。本実施例の背負式電源装置２では、図１８に示すように、支持板６２を背板６０に対して上方に移動させることで、腰ベルト１０の下端を、本体部分４の下面よりも上方に移動させることができる。これによって、本体部分４の下面が載置面と当接するようにして背負式電源装置２を載置することができる。
【００７１】
なお、図２５に示すように、ロック機構６４が、プレート１０６とナット１０８の間に挟持される皿ばね１０７を備える構成としてもよい。図２５に示す構成では、ロックレバー１００を下方に回動させて、支持板６２が背板６０に対して固定された状態あっても、支持板６２や背板６０に大きな荷重が作用した場合に、皿ばね１０７が弾性変形して、係合部９８ａ、９８ｂと被係合部９０ａ、９０ｂの係合が解除されて、支持板６２が背板６０に対してスライドすることができる。このため、支持板６２や背板６０に大きな荷重が作用した場合に、係合部９８ａ、９８ｂや被係合部９０ａ、９０ｂが破損してしまうことを防止することができる。なお、図２５に示す構成において、皿ばね１０７の代わりに、板ばねやスプリングワッシャをプレート１０６とナット１０８の間に介在させる構成としてもよい。
【００７２】
なお、腰ベルト１０の上下方向の位置の調整は、他の機構によって実現することもできる。例えば、図２６に示すように、支持板６２を背板６０に対して常に固定した状態とした上で、腰ベルト１０を支持板６２に対して回動ピン１０３を介して回動可能に取り付ける構成としてもよい。回動ピン１０３は、腰ベルト１０の上下方向の中央よりも下方側に配置されている。回動ピン１０３は、長手方向が前後方向に沿っており、腰ベルト１０は、支持板６２に対して前後方向に沿った回動軸周りに回動可能である。図２６に示す状態では、腰ベルト１０の下端が本体部分４や背負子部分６の下面よりも上方に配置されている。この状態から、回動ピン１０３を回動軸として腰ベルト１０を支持板６２に対して１８０度回転させると、腰ベルト１０の下端が本体部分４や背負子部分６の下面よりも下方に配置される。このような構成によって、腰ベルト１０の上下方向の位置を調整してもよい。
【００７３】
あるいは、図２７に示すように、支持板６２を設けることなく、背板６０に対して腰ベルト１０を、面ファスナ１０５を介して着脱可能に取り付ける構成としてもよい。この場合、ユーザは腰ベルト１０の上下方向の位置を所望の位置に調整した上で、腰ベルト１０を背板６０に取り付けることができる。このような構成によって、腰ベルト１０の上下方向の位置を調整してもよい。
【００７４】
図１９に示すように、肩ベルト８ａ、８ｂの保持バンド７６ａ、７６ｂは、上側固定部１１０ａ、１１０ｂと、下側固定部１１２ａ、１１２ｂの二か所で、肩ベルト８ａ、８ｂに固定されている。保持バンド７６ａ、７６ｂの、上側固定部１１０ａ、１１０ｂと下側固定部１１２ａ、１１２ｂの間の箇所には、図２０に示すケーブルホルダ１２０を取り付けることができる。ケーブルホルダ１２０を保持バンド７６ａ（または保持バンド７６ｂ）に取り付けることで、例えば、本体部分４から伸びる電源ケーブル３８を、ユーザの背中から肩の上側を回り込んで胸の前方に這わせる際、すなわち肩ベルト８ａ（または肩ベルト８ｂ）のパッド７２ａ（またはパッド７２ｂ）の外面に沿って這わせる際に、ケーブルホルダ１２０によって電源ケーブル３８を保持することができる。
【００７５】
図２０に示すように、ケーブルホルダ１２０は、バンド取付部１２２と、ケーブル保持部１２４を備えている。バンド取付部１２２は、Ｘ方向に直線状に延びる第１直線部１２２ａと、第１直線部１２２ａのＸ方向正方向の端部からＺ方向負方向に緩やかに屈曲して、さらにＸ方向負方向に緩やかに屈曲する第１折返し部１２２ｂと、第１折返し部１２２ｂからＸ方向負方向に直線状に延びる第２直線部１２２ｃと、第１直線部１２２ａのＸ方向負方向の端部からＺ方向負方向に緩やかに屈曲して、さらにＸ方向正方向に緩やかに屈曲する第２折返し部１２２ｄと、第２折返し部１２２ｄからＸ方向正方向に直線状に延びる第３直線部１２２ｅを備えている。第１直線部１２２ａ、第１折返し部１２２ｂ、第２直線部１２２ｃ、第２折返し部１２２ｄおよび第３直線部１２２ｅは、いずれも、角部が丸みを帯びた略正方形状の断面形状を有している。第２直線部１２２ｃと第３直線部１２２ｅは、同一直線状に配置されている。第２直線部１２２ｃの先端と第３直線部１２２ｅの先端の間には、保持バンド７６ａ（または保持バンド７６ｂ）が通過可能な間隙１２２ｆが形成されている。ケーブルホルダ１２０を保持バンド７６ａに取り付けた状態では、第１直線部１２２ａ、第１折返し部１２２ｂ、第２直線部１２２ｃ、第２折返し部１２２ｄおよび第３直線部１２２ｅによって、保持バンド７６ａの周囲が囲われる。これによって、ケーブルホルダ１２０を保持バンド７６ａに確実に取り付けることができる。
【００７６】
ケーブル保持部１２４は、中心軸がＹ方向に沿って伸びており、Ｚ方向正方向の端部が切り欠かれた円筒形状を有する円筒部１２４ａと、円筒部１２４ａの両端部から外側に向けて屈曲した第１案内部１２４ｂおよび第２案内部１２４ｃを備えている。第１案内部１２４ｂと第２案内部１２４ｃの間には、開口１２４ｄが形成されている。円筒部１２４ａ、第１案内部１２４ｂ、第２案内部１２４ｃは、Ｙ方向に関して、バンド取付部１２２よりも幅広に形成されている。円筒部１２４ａは、バンド取付部１２２の第１直線部１２２ａと一体的に形成されている。開口１２４ｄの間隔は、通常時は電源ケーブル３８のケーブル径よりも小さい。ケーブル保持部１２４によって電源ケーブル３８を保持する際には、円筒部１２４ａの外側から開口１２４ｄを介して電源ケーブル３８を押し込むことで、円筒部１２４ａが開口１２４ｄを開く方向に弾性変形して、電源ケーブル３８が円筒部１２４ａの内部に収容される。電源ケーブル３８をケーブル保持部１２４から取り外す際には、円筒部１２４ａの内側から開口１２４ｄを介して電源ケーブル３８を引き出すことで、円筒部１２４ａが開口１２４ｄを開く方向に弾性変形して、電源ケーブル３８が円筒部１２４ａの外部に取り出される。
【００７７】
ケーブルホルダ１２０では、バンド取付部１２２の第１直線部１２２ａ、第１折返し部１２２ｂ、第２直線部１２２ｃ、第２折返し部１２２ｄおよび第３直線部１２２ｅは、いずれも、角部が丸みを帯びた略正方形状の断面形状を有している。このため、ケーブルホルダ１２０を保持バンド７６ａに取り付けた状態で、ケーブルホルダ１２０を倒す方向の外力がケーブルホルダ１２０に作用した場合でも、ケーブルホルダ１２０は外力に逆らわずに倒れることができ、バンド取付部１２２が破損することを防止することができる。なお、第１直線部１２２ａ、第１折返し部１２２ｂ、第２直線部１２２ｃ、第２折返し部１２２ｄおよび第３直線部１２２ｅの断面形状は、転がりやすい断面形状であればどのような断面形状であってもよく、例えば、略円形状や略楕円形状などの角部を有さない形状であってもよいし、略六角形状、略八角形状など、角部が鈍角となる多角形状であってもよい。
【００７８】
ケーブルホルダ１２０では、バンド取付部１２２に保持バンド７６ａを出し入れする間隙１２２ｆが、保持バンド７６ａを取り付けたときに、保持バンド７６ａの両側端部とは対向しない位置に配置されている。このため、ケーブルホルダ１２０が保持バンド７６ａから不意に外れてしまうことを防止することができる。
【００７９】
ケーブルホルダ１２０では、円筒部１２４ａが弾性変形することで、ケーブル保持部１２４の開口１２４ｄの間隔が変化する。このため、仮にケーブル保持部１２４が電源ケーブル３８を保持した状態で、電源ケーブル３８が取り付けられた電動機器（例えば電動工具）をユーザが誤って落下させた場合には、円筒部１２４ａが弾性変形して開口１２４ｄが開き、電源ケーブル３８がケーブル保持部１２４から離脱する。このような構成とすることで、電源ケーブル３８が取り付けられた電動機器を誤って落下させた場合に、電源ケーブル３８がケーブルホルダ１２０を支点とする振り子となって電動機器がユーザに衝突することを防止することができる。
【００８０】
あるいは、図２０のケーブルホルダ１２０に代えて、図２１のケーブルホルダ１３０を使用してもよい。ケーブルホルダ１３０は、バンド取付部１３２と、ケーブル保持部１３４を備えている。バンド取付部１３２は、Ｘ方向に平板状に延びる第１平板部１３２ａと、第１平板部１３２ａのＸ方向負方向の端部からＺ方向負方向に緩やかに屈曲する折返し部１３２ｂと、折返し部１３２ｂからＸ方向正方向に緩やかに湾曲し、さらにＺ方向正方向に緩やかに湾曲する湾曲部１３２ｃと、湾曲部１３２ｃからＸ方向正方向に平板状に延びる第２平板部１３２ｄと、第１平板部１３２ａのＸ方向正方向の端部から外側に屈曲する第１案内部１３２ｅと、第２平板部１３２ｄのＸ方向正方向の端部から外側に屈曲する第２案内部１３２ｆを備えている。第１平板部１３２ａと第２平板部１３２ｄの間には、間隙１３２ｇが形成されている。間隙１３２ｇの幅は、保持バンド７６ａ、７６ｂの厚さよりも小さい。ケーブルホルダ１３０を保持バンド７６ａに取り付ける際には、間隙１３２ｇを介して保持バンド７６ａをバンド取付部１３２に差し込む。この際に、湾曲部１３２ｃが弾性変形することで、保持バンド７６ａの大部分がバンド取付部１３２に入り込んだ状態で、第１平板部１３２ａと第２平板部１３２ｄによって保持バンド７６ａが挟持される。
【００８１】
ケーブル保持部１３４は、第１湾曲部１３４ａと、第２湾曲部１３４ｂと、第１湾曲部１３４ａから外側に屈曲する第３案内部１３４ｃと、第２湾曲部１３４ｂから外側に屈曲する第４案内部１３４ｄを備えている。第１湾曲部１３４ａと第２湾曲部１３４ｂは、Ｙ方向正方向から平面視した時に、Ｚ方向に長軸方向を有しており、Ｚ方向正方向の端部が切り欠かれた楕円形状を形成している。第１湾曲部１３４ａと第２湾曲部１３４ｂは、バンド取付部１３２の第１平板部１３２ａと一体的に形成されている。第３案内部１３４ｃと第４案内部１３４ｄの間には、開口１３４ｅが形成されている。開口１３４ｅの間隔は、通常時は電源ケーブル３８のケーブル径よりも小さい。ケーブル保持部１３４によって電源ケーブル３８を保持する際には、ケーブル保持部１３４の外側から開口１３４ｅを介して電源ケーブル３８を押し込むことで、第１湾曲部１３４ａと第２湾曲部１３４ｂが開口１３４ｅを開く方向に弾性変形して、電源ケーブル３８がケーブル保持部１３４の内部に収容される。電源ケーブル３８をケーブル保持部１３４から取り外す際には、ケーブル保持部１３４の内側から開口１３４ｅを介して電源ケーブル３８を引き出すことで、第１湾曲部１３４ａと第２湾曲部１３４ｂが開口１３４ｅを開く方向に弾性変形して、電源ケーブル３８がケーブル保持部１３４の外部に取り出される。
【００８２】
ケーブルホルダ１３０では、第１湾曲部１３４ａと第２湾曲部１３４ｂが弾性変形することで、ケーブル保持部１３４の開口１３４ｅの間隔が変化する。このため、仮にケーブル保持部１３４が電源ケーブル３８を保持した状態で、電源ケーブル３８が取り付けられた電動機器（例えば電動工具）をユーザが誤って落下させた場合には、第１湾曲部１３４ａと第２湾曲部１３４ｂが弾性変形して開口１３４ｅが開き、電源ケーブル３８がケーブル保持部１３４から離脱する。このような構成とすることで、電源ケーブル３８が取り付けられた電動機器を誤って落下させた場合に、電源ケーブル３８がケーブルホルダ１３０を支点とする振り子となって電動機器がユーザに衝突することを防止することができる。
【００８３】
あるいは、図２０のケーブルホルダ１２０に代えて、図２２のケーブルホルダ１４０を使用してもよい。ケーブルホルダ１４０は、バンド取付部１４２と、ケーブル保持部１４４を備えている。バンド取付部１４２は、Ｘ方向に直線状に延びる第１直線部１４２ａと、第１直線部１４２ａのＸ方向正方向の端部からＺ方向負方向に緩やかに屈曲して、さらにＸ方向負方向に緩やかに屈曲する第１折返し部１４２ｂと、第１折返し部１４２ｂからＸ方向負方向に直線状に延びる第２直線部１４２ｃと、第１直線部１４２ａのＸ方向負方向の端部からＺ方向負方向に緩やかに屈曲して、さらにＸ方向正方向に緩やかに屈曲する第２折返し部１４２ｄと、第２折返し部１４２ｄからＸ方向正方向に直線状に延びる第３直線部１４２ｅを備えている。第１直線部１４２ａ、第１折返し部１４２ｂ、第２直線部１４２ｃ、第２折返し部１４２ｄおよび第３直線部１４２ｅは、いずれも、角部が丸みを帯びた略正方形状の断面形状を有している。第２直線部１４２ｃと第３直線部１４２ｅは、同一直線状に配置されている。第２直線部１４２ｃの先端と第３直線部１４２ｅの先端の間には、保持バンド７６ａ（または保持バンド７６ｂ）が通過可能な間隙１４２ｆが形成されている。ケーブルホルダ１４０を保持バンド７６ａに取り付けた状態では、第１直線部１４２ａ、第１折返し部１４２ｂ、第２直線部１４２ｃ、第２折返し部１４２ｄおよび第３直線部１４２ｅによって、保持バンド７６ａの周囲が囲われる。これによって、ケーブルホルダ１４０を保持バンド７６ａに確実に取り付けることができる。
【００８４】
ケーブル保持部１４４は、第１湾曲部１４４ａと、第２湾曲部１４４ｂと、第１湾曲部１４４ａから外側に屈曲する第１案内部１４４ｃと、第２湾曲部１４４ｂから外側に屈曲する第２案内部１４４ｄと、第１湾曲部１４４ａから内側に平板状に延びる第１抜止め部１４４ｅと、第２湾曲部１４４ｂから内側に平板状に延びる第２抜止め部１４４ｆを備えている。第１湾曲部１４４ａと第２湾曲部１４４ｂは、Ｙ方向正方向から平面視した時に、Ｚ方向に長軸方向を有しており、Ｚ方向正方向の端部が切り欠かれた楕円形状を形成している。第１湾曲部１４４ａと第２湾曲部１４４ｂは、バンド取付部１４２の第１直線部１４２ａと一体的に形成されている。第１案内部１４４ｃと第２案内部１４４ｄの間には、開口１４４ｇが形成されている。開口１４４ｇの間隔は、通常時は電源ケーブル３８のケーブル径よりも小さい。ケーブル保持部１４４によって電源ケーブル３８を保持する際には、ケーブル保持部１４４の外側から開口１４４ｇを介して電源ケーブル３８を押し込むことで、第１湾曲部１４４ａと第２湾曲部１４４ｂが開口１４４ｇを開く方向に弾性変形して、電源ケーブル３８がケーブル保持部１４４の内部に収容される。電源ケーブル３８をケーブル保持部１４４から取り外す際には、第１案内部１４４ｃまたは第２案内部１４４ｄを掴んで、開口１４４ｇが開く方向に第１湾曲部１４４ａまたは第２湾曲部１４４ｂを弾性変形させる。その上で、第１抜止め部１４４ｅと第２抜止め部１４４ｆの間に電源ケーブル３８を位置合わせして、ケーブル保持部１４４の内側から開口１４４ｇを介して電源ケーブル３８を引き出すことで、電源ケーブル３８がケーブル保持部１４４の外部に取り出される。
【００８５】
ケーブルホルダ１４０では、バンド取付部１４２の第１直線部１４２ａ、第１折返し部１４２ｂ、第２直線部１４２ｃ、第２折返し部１４２ｄおよび第３直線部１４２ｅは、いずれも、角部が丸みを帯びた略正方形状の断面形状を有している。このため、ケーブルホルダ１４０を保持バンド７６ａに取り付けた状態で、ケーブルホルダ１４０を倒す方向の外力がケーブルホルダ１４０に作用した場合でも、ケーブルホルダ１４０は外力に逆らわずに倒れることができ、バンド取付部１４２が破損することを防止することができる。なお、第１直線部１４２ａ、第１折返し部１４２ｂ、第２直線部１４２ｃ、第２折返し部１４２ｄおよび第３直線部１４２ｅの断面形状は、転がりやすい断面形状であればどのような断面形状であってもよく、例えば、略円形状や略楕円形状などの角部を有さない形状であってもよいし、略六角形状、略八角形状など、角部が鈍角となる多角形状であってもよい。
【００８６】
ケーブルホルダ１４０では、バンド取付部１４２に保持バンド７６ａを出し入れする間隙１４２ｆが、保持バンド７６ａを取り付けたときに、保持バンド７６ａの両側端部とは対向しない位置に配置されている。このため、ケーブルホルダ１４０が保持バンド７６ａから不意に外れてしまうことを防止することができる。
【００８７】
ケーブルホルダ１４０では、ケーブル保持部１４４の開口１４４ｇの近傍に、第１抜止め部１４４ｅと第２抜止め部１４４ｆが形成されている。これによって、電源ケーブル３８がケーブルホルダ１４０から不意に外れてしまうことを防止することができる。
【００８８】
なお、ケーブルホルダ１２０、１３０、１４０は、肩ベルト８ａ、８ｂの保持バンド７６ａ、７６ｂに取り付ける代わりに、他のバンド、例えば肩ベルト８ａ、８ｂの調節バンド８０ａ、８０ｂに取り付けてもよい。あるいは、ケーブルホルダ１２０，１３０，１４０は、腰ベルト１０の保持バンド７７や調節バンド８１に取り付けてもよい。あるいは、ケーブルホルダ１２０，１３０，１４０は、ユーザが身に着けている他のバンド（図示せず）に取り付けてもよい。
【００８９】
１つまたはそれ以上の実施形態において、背負式電源装置２の本体部分４（バッテリ搭載機器の例）は、バッテリパック２０ａ、２０ｂ、２０ｃ、２０ｄが着脱可能に取り付けられるハウジング１５と、バッテリパック２０ａ、２０ｂ、２０ｃ、２０ｄを覆うようにハウジング１５に取り付けられており、回動軸周りに回動することで開閉するカバー１６を備えている。本体部分４を載置した状態において、カバー１６にカバー１６を閉じる方向の力が作用する。
【００９０】
上記の構成によれば、本体部分４を載置した状態では、カバー１６にカバー１６を閉じる方向の力が作用するので、カバー１６を確実に閉じておくことができる。このため、本体部分４に水がかかった場合でも、バッテリパック２０ａ、２０ｂ、２０ｃ、２０ｄが水に濡れてしまうことを防止することができる。
【００９１】
１つまたはそれ以上の実施形態において、本体部分４は、カバー１６が閉じられた時に、カバー１６の周縁を密閉するシール部材４２をさらに備えている。
【００９２】
上記の構成によれば、本体部分４に水がかかった場合でも、バッテリパック２０ａ、２０ｂ、２０ｃ、２０ｄが水に濡れてしまうことを確実に防止することができる。
【００９３】
１つまたはそれ以上の実施形態において、本体部分４は、カバー１６を閉じる方向にカバー１６を付勢する捩りバネ４０（付勢部材の例）をさらに備えている。この場合、本体部分４を載置した状態において、カバー１６に作用するカバー１６を閉じる方向の力は、捩りバネ４０による付勢力を含む。
【００９４】
上記の構成によれば、本体部分４を載置した状態でなくとも、捩りバネ４０がカバー１６を閉じる方向に付勢する。本体部分４を載置した状態でない時に、本体部分４に水がかかった場合でも、バッテリパック２０ａ、２０ｂ、２０ｃ、２０ｄが水に濡れてしまうことを防止することができる。
【００９５】
１つまたはそれ以上の実施形態において、本体部分４は、カバー１６が閉じられた時に、カバー１６が閉じられた状態を保持するラッチ部材４４およびラッチ受け１４ｃ（ロック機構の例）をさらに備えている。
【００９６】
上記の構成によれば、カバー１６を閉じた状態で、不意にカバー１６を開く方向の力がカバー１６に作用した場合でも、カバー１６が閉じられた状態を保持することができる。バッテリパック２０ａ、２０ｂ、２０ｃ、２０ｄが水に濡れてしまう事態を確実に防止することができる。
【００９７】
１つまたはそれ以上の実施形態において、背負式電源装置２の本体部分４（バッテリ搭載機器の例）は、バッテリパック２０ａ、２０ｂ、２０ｃ、２０ｄが着脱可能に取り付けられるハウジング１５と、バッテリパック２０ａ、２０ｂ、２０ｃ、２０ｄを覆うようにハウジング１５に取り付けられており、回動軸周りに回動することで開閉するカバー１６と、カバー１６を開いた状態で保持可能なカバー保持機構４６を備えている。カバー保持機構４６は、ユーザの操作に応じて、カバー１６の回動動作と干渉する保持位置と、カバー１６の回動動作と干渉しない開放位置の間で移動するカバー保持部材４７を備えている。
【００９８】
上記の構成によれば、ハウジング１５に対してバッテリパック２０ａ、２０ｂ、２０ｃ、２０ｄを着脱する際に、カバー保持機構４６によってカバー１６が開いた状態に保持することができるので、ユーザは、一方の手でカバー１６を把持して開いた状態で保持する必要がない。バッテリパック２０ａ、２０ｂ、２０ｃ、２０ｄの着脱作業を容易に行うことができる。
【００９９】
１つまたはそれ以上の実施形態において、カバー保持機構４６は、カバー保持部材４７を保持位置から開放位置へ向けて付勢する圧縮バネ５４（第１付勢部材の例）をさらに備えている。
【０１００】
上記の構成によれば、バッテリパック２０ａ、２０ｂ、２０ｃ、２０ｄの着脱作業が終了した後は、圧縮バネ５４の付勢力によって、カバー保持部材４７を保持位置から開放位置へ復帰させることができる。
【０１０１】
１つまたはそれ以上の実施形態において、本体部分４は、カバー１６を閉じる方向にカバー１６を付勢する捩りバネ４０（第２付勢部材の例）をさらに備えている。
【０１０２】
上記の構成によれば、バッテリパック２０ａ、２０ｂ、２０ｃ、２０ｄの着脱作業を行わない状況において、カバー１６を確実に閉じておくことができる。
【０１０３】
１つまたはそれ以上の実施形態において、本体部分４は、バッテリパック２０ａ、２０ｂ、２０ｃ、２０ｄからの電力を他の機器に出力する電源ケーブル３８（電力出力部の例）をさらに備えている。本体部分４は、ユーザが肩にかける肩ベルト８ａ、８ｂを取り付け可能である。
【０１０４】
上記の構成によれば、本体部分４を用いた背負式電源装置２を実現することができる。
【０１０５】
１つまたはそれ以上の実施形態において、カバー１６の回動軸は、ハウジング１５の長手方向に沿っている。
【０１０６】
カバー１６の回動軸がハウジング１５の長手方向に直交している場合、カバー１６を開閉する際にカバー１６の先端が大きく回動することになり、ユーザの身体や周囲の物品と干渉しやすくなる。上記のように、カバー１６の回動軸がハウジング１５の長手方向に沿った構成とすることで、カバー１６を開閉する際にカバー１６の先端を小さく回動させることができ、ユーザの身体や周囲の物品と干渉しにくくすることができる。
【０１０７】
１つまたはそれ以上の実施形態において、バッテリパック２０ａ、２０ｂ、２０ｃ、２０ｄは、ハウジング１５に対してスライド方向にスライドさせることで着脱可能である。スライド方向は、カバー１６の回動軸に直交する面に対して略平行である。
【０１０８】
上記の構成によれば、ハウジング１５に対してカバー１６を開いて、バッテリパック２０ａ、２０ｂ、２０ｃ、２０ｄをハウジング１５に対してスライド方向にスライドさせる際に、カバー１６が邪魔になることがない。バッテリパック２０ａ、２０ｂ、２０ｃ、２０ｄの着脱作業を容易に行うことができる。
【０１０９】
１つまたはそれ以上の実施形態において、バッテリパック２０ａ、２０ｂ、２０ｃ、２０ｄは、ハウジング１５の長手方向に並んで配置されている。
【０１１０】
上記の構成によれば、バッテリパック２０ａ、２０ｂ、２０ｃ、２０ｄのうちの一つ、例えばバッテリパック２０ａをハウジング１５に対してスライド方向にスライドさせる際に、ハウジング１５に取り付けられている他のバッテリパック２０ｂ、２０ｃ、２０ｄが邪魔になることがない。バッテリパック２０ａ、２０ｂ、２０ｃ、２０ｄの着脱作業をより容易に行うことができる。
【０１１１】
１つまたはそれ以上の実施形態において、ケーブルホルダ１２０，１３０，１４０は、ユーザが身に着けた保持バンド７６ａ（バンドの例）に対して着脱可能に取り付けられるバンド取付部１２２，１３２，１４２と、電源ケーブル３８（ケーブルの例）を着脱可能に保持するケーブル保持部１２４，１３４，１４４を備えている。バンド取付部１２２，１３２，１４２とケーブル保持部１２４，１３４，１４４は、一体的に形成されている。
【０１１２】
上記の構成によれば、バンド取付部１２２，１３２，１４２が保持バンド７６ａに対して着脱可能であるため、ユーザが身に着けた保持バンド７６ａを取り外すことなく、ケーブルホルダ１２０，１３０，１４０のみを取り外すことができる。
【０１１３】
１つまたはそれ以上の実施形態において、バンド取付部１２２，１４２は、間隙１２２ｆ，１４２ｆを有しており、保持バンド７６ａの周囲を囲う形状を有している。
【０１１４】
上記の構成によれば、間隙１２２ｆ，１４２ｆを介して保持バンド７６ａをバンド取付部１２２，１４２に出し入れすることで、ケーブルホルダ１２０，１４０を保持バンド７６ａに着脱することができる。
【０１１５】
１つまたはそれ以上の実施形態において、バンド取付部１２２，１４２は、転がりやすい断面形状を有している。
【０１１６】
上記の構成によれば、保持バンド７６ａに取り付けたケーブルホルダ１２０，１４０に、ケーブルホルダ１２０，１４０を倒す方向の外力が作用した場合に、外力に逆らわずにケーブルホルダ１２０，１４０が倒れるので、ケーブルホルダ１２０，１４０が損傷することを防止することができる。
【０１１７】
１つまたはそれ以上の実施形態において、ケーブル保持部１２４，１３４は、開口１２４ｄ，１３４ｅを有する形状を有している。開口１２４ｄ，１３４ｅの間隔は、通常時は電源ケーブル３８のケーブル径よりも小さく、電源ケーブル３８の着脱時はケーブル保持部１２４，１３４の弾性変形によって電源ケーブル３８のケーブル径よりも大きくなる。
【０１１８】
上記の構成によれば、開口１２４ｄ，１３４ｅを介して電源ケーブル３８をケーブル保持部１２４，１３４に出し入れすることで、電源ケーブル３８をケーブルホルダ１２０，１３０に着脱することができる。また、上記の構成によれば、電源ケーブル３８に大きな力が作用した場合、例えば電源ケーブル３８に接続された機器が落下して電源ケーブル３８が引っ張られた場合には、ケーブルホルダ１２０，１３０から電源ケーブル３８が離脱して、ユーザが身に着けている保持バンド７６ａから電源ケーブル３８が離れていく。このような構成とすることで、ユーザの安全を確保することができる。
【０１１９】
１つまたはそれ以上の実施形態において、ケーブルホルダ１２０，１３０，１４０が取り付けられる保持バンド７６ａは、背負式電源装置２の肩ベルト８ａに設けられている。ケーブルホルダ１２０，１３０，１４０が保持する電源ケーブル３８は、背負式電源装置２から伸びている。
【０１２０】
上記の構成によれば、背負式電源装置２から伸びる電源ケーブル３８を、ユーザの背中から肩を回り込んで胸前に這わせることで、電源ケーブル３８が余ってたわんでしまう事を防止することができる。
【０１２１】
１つまたはそれ以上の実施形態において、背負式電源装置２（背負式機器の例）は、機器本体５と、ユーザが肩にかける肩ベルト８ａ，８ｂと、ユーザが腰に巻く腰ベルト１０を備えている。腰ベルト１０は、腰ベルト１０の下端が機器本体５の下面よりも下方に位置する状態と、腰ベルト１０の下端が機器本体５の下面よりも上方に位置する状態の間で切り替え可能である。背負式電源装置２は、腰ベルト１０の下端が機器本体５の下面よりも上方に位置する状態で、機器本体５の下面を載置面に当接させて載置可能である。
【０１２２】
上記の構成によれば、背負式電源装置２をユーザが背負って使用する際には、腰ベルト１０を、腰ベルト１０の下端が機器本体５の下面よりも下方に位置する状態とすることで、腰ベルト１０の位置を自身の腰の位置に合わせることができ、ユーザの身体にかかる負担を軽減することができる。また、背負式電源装置２を載置する際には、腰ベルト１０を、腰ベルト１０の下端が機器本体５の下面よりも上方に位置する状態とすることで、機器本体５の下面を載置面に当接させて載置することができる。
【０１２３】
１つまたはそれ以上の実施形態において、機器本体５は、本体部分４と、本体部分４が着脱可能に取り付けられており、肩ベルト８ａ，８ｂと腰ベルト１０が取り付けられる背負子部分６を備えている。
【０１２４】
上記の構成によれば、本体部分４を背負子部分６から取り外した状態で、本体部分４の使用やメンテナンス等を行うことができる。
【０１２５】
１つまたはそれ以上の実施形態において、背負子部分６は、肩ベルト８ａ，８ｂの上側端部が取り付けられる背板６０と、腰ベルト１０が取り付けられ、背板６０に対して上下方向の位置を変更可能な支持板６２と、支持板６２の背板６０に対する位置を固定するロック機構６４を備えている。本体部分４および／または背板６０によって、機器本体５の下面が形成されている。
【０１２６】
上記の構成によれば、比較的簡素な構成で、腰ベルト１０の下端が機器本体５の下面よりも下方に位置する状態と、腰ベルト１０の下端が機器本体５の下面よりも上方に位置する状態を切り換えることができる。
【０１２７】
１つまたはそれ以上の実施形態において、腰ベルト１０は、機器本体５に対して前後方向に延びる回動軸周りに回動可能に取り付けられている。腰ベルト１０の回動軸は、腰ベルト１０の上下方向の中央から離れた位置に配置されている。
【０１２８】
上記の構成によれば、腰ベルト１０を、腰ベルト１０の下端が機器本体５の下面よりも下方に位置する状態から、機器本体５に対して回動軸周りに１８０度回転させることで、腰ベルト１０の下端が機器本体５の下面よりも上方に位置する状態に切り換えることができる。比較的簡素な構成で、腰ベルト１０の下端が機器本体５の下面よりも下方に位置する状態と、腰ベルト１０の下端が機器本体５の下面よりも上方に位置する状態を切り換えることができる。
【０１２９】
１つまたはそれ以上の実施形態において、腰ベルト１０は、面ファスナ１０５を介して機器本体５に着脱可能に取り付けられている。
【０１３０】
上記の構成によれば、腰ベルト１０の機器本体５に対する上下方向の取り付け位置を調整することで、腰ベルト１０の下端が機器本体５の下面よりも下方に位置する状態と、腰ベルト１０の下端が機器本体５の下面よりも上方に位置する状態を切り換えることができる。比較的簡素な構成で、腰ベルト１０の下端が機器本体５の下面よりも下方に位置する状態と、腰ベルト１０の下端が機器本体５の下面よりも上方に位置する状態を切り換えることができる。
【０１３１】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【０１３２】
２        ：背負式電源装置
４        ：本体部分
５        ：機器本体
６        ：背負子部分
８ａ      ：肩ベルト
８ｂ      ：肩ベルト
１０      ：腰ベルト
１２      ：ポーチ
１４      ：フレーム
１４ａ    ：基部
１４ｂ    ：支持部
１４ｃ    ：ラッチ受け
１４ｄ    ：貫通孔
１５      ：ハウジング
１６      ：カバー
１８      ：ハンドル
２０ａ    ：バッテリパック
２０ｂ    ：バッテリパック
２０ｃ    ：バッテリパック
２０ｄ    ：バッテリパック
２２ａ    ：バッテリ取付部
２２ｂ    ：バッテリ取付部
２２ｃ    ：バッテリ取付部
２２ｄ    ：バッテリ取付部
２４      ：インナハウジング
２６      ：操作部
２８      ：表示部
３０      ：制御基板
３２      ：操作基板
３４      ：表示基板
３６      ：ノイズフィルタ
３８      ：電源ケーブル
４０      ：バネ
４２      ：シール部材
４４      ：ラッチ部材
４６      ：カバー保持機構
４７      ：カバー保持部材
４８      ：ボタン
５０      ：係合片
５２      ：ネジ
５４      ：圧縮バネ
５６      ：サポートロッド
６０      ：背板
６２      ：支持板
６４      ：ロック機構
６６ａ    ：係合爪
６６ｂ    ：係合爪
６６ｃ    ：係合爪
６６ｄ    ：係合爪
６８ａ    ：ラッチ
６８ｂ    ：ラッチ
７０ａ    ：係合溝
７０ｂ    ：係合溝
７０ｃ    ：係合溝
７０ｄ    ：係合溝
７１ａ    ：ラッチ受け
７１ｂ    ：ラッチ受け
７２ａ    ：パッド
７２ｂ    ：パッド
７３      ：パッド
７４ａ    ：係合バックル
７４ｂ    ：係合バックル
７４ｃ    ：係合バックル
７４ｄ    ：係合バックル
７５      ：雌バックル
７６ａ    ：保持バンド
７６ｂ    ：保持バンド
７７      ：保持バンド
７８ａ    ：調節バックル
７８ｂ    ：調節バックル
７９      ：調節バックル
８０ａ    ：調節バンド
８０ｂ    ：調節バンド
８１      ：調節バンド
８２ａ    ：係合孔
８２ｂ    ：係合孔
８２ｃ    ：係合孔
８２ｄ    ：係合孔
８３      ：雄バックル
８４ａ    ：ベルト取付部
８４ｂ    ：ベルト取付部
８６      ：長孔
８８      ：ガイド凸条
９０ａ    ：被係合部
９０ｂ    ：被係合部
９２      ：ガイド溝
９４      ：貫通孔
９６      ：ガイド凹条
９７ａ    ：ネジ
９７ｂ    ：ネジ
９７ｃ    ：ネジ
９７ｄ    ：ネジ
９８ａ    ：係合部
９８ｂ    ：係合部
９９ａ    ：ボス
９９ｂ    ：ボス
９９ｃ    ：ボス
９９ｄ    ：ボス
１００    ：ロックレバー
１０２    ：ヒンジピン
１０３    ：回動ピン
１０４    ：支持ピン
１０５    ：面ファスナ
１０６    ：プレート
１０６ａ  ：貫通孔
１０７    ：皿ばね
１０８    ：ナット
１１０ａ  ：上側固定部
１１０ｂ  ：上側固定部
１１２ａ  ：下側固定部
１１２ｂ  ：下側固定部
１２０    ：ケーブルホルダ
１２２    ：バンド取付部
１２２ａ  ：第１直線部
１２２ｂ  ：第１折返し部
１２２ｃ  ：第２直線部
１２２ｄ  ：第２折返し部
１２２ｅ  ：第３直線部
１２２ｆ  ：間隙
１２４    ：ケーブル保持部
１２４ａ  ：円筒部
１２４ｂ  ：第１案内部
１２４ｃ  ：第２案内部
１２４ｄ  ：開口
１３０    ：ケーブルホルダ
１３２    ：バンド取付部
１３２ａ  ：第１平板部
１３２ｂ  ：折返し部
１３２ｃ  ：湾曲部
１３２ｄ  ：第２平板部
１３２ｅ  ：第１案内部
１３２ｆ  ：第２案内部
１３２ｇ  ：間隙
１３４    ：ケーブル保持部
１３４ａ  ：第１湾曲部
１３４ｂ  ：第２湾曲部
１３４ｃ  ：第３案内部
１３４ｄ  ：第４案内部
１３４ｅ  ：開口
１４０    ：ケーブルホルダ
１４２    ：バンド取付部
１４２ａ  ：第１直線部
１４２ｂ  ：第１折返し部
１４２ｃ  ：第２直線部
１４２ｄ  ：第２折返し部
１４２ｅ  ：第３直線部
１４２ｆ  ：間隙
１４４    ：ケーブル保持部
１４４ａ  ：第１湾曲部
１４４ｂ  ：第２湾曲部
１４４ｃ  ：第１案内部
１４４ｄ  ：第２案内部
１４４ｅ  ：第１抜止め部
１４４ｆ  ：第２抜止め部
１４４ｇ  ：開口
【図１】
2020058664.tif 000003
【図２】
2020058664.tif 000004
【図３】
2020058664.tif 000005
【図４】
2020058664.tif 000006
【図５】
2020058664.tif 000007
【図６】
2020058664.tif 000008
【図７】
2020058664.tif 000009
【図８】
2020058664.tif 000010
【図９】
2020058664.tif 000011
【図１０】
2020058664.tif 000012
【図１１】
2020058664.tif 000013
【図１２】
2020058664.tif 000014
【図１３】
2020058664.tif 000015
【図１４】
2020058664.tif 000016
【図１５】
2020058664.tif 000017
【図１６】
2020058664.tif 000018
【図１７】
2020058664.tif 000019
【図１８】
2020058664.tif 000020
【図１９】
2020058664.tif 000021
【図２０】
2020058664.tif 000022
【図２１】
2020058664.tif 000023
【図２２】
2020058664.tif 000024
【図２３】
2020058664.tif 000025
【図２４】
2020058664.tif 000026
【図２５】
2020058664.tif 000027
【図２６】
2020058664.tif 000028
【図２７】
2020058664.tif 000029